(57)【要約】【課題】現代の熟練工の技術・技能を容易に会得することのできる技能伝承システムを提供する。【解決手段】技能伝承の対象となる技能ジャンルを設定し，設定した各技能ジャンル毎に、技能種類別に技能を設定し，設定した各技能毎に、技能を要するコンテンツを設定し，設定した各コンテンツ毎に、各コンテンツにおける全作業を作業項目別に分類し，作業項目毎に個別に作業内容を作業別に展開可能に構成する。【選択図】      図２
2004227193.tif 000002
【特許請求の範囲】
【請求項１】
技能伝承の対象となる技能ジャンルを設定し，
前記設定した各技能ジャンル毎に、技能種類別に技能を設定し，
前記設定した各技能毎に、技能を要するコンテンツを設定し，
前記設定した各コンテンツ毎に、該各コンテンツにおける全作業を作業項目別に分類し，
前記作業項目毎に個別に作業内容を作業別に展開可能に構成したことを特徴とする技能伝承システム。
【請求項２】
前記作業項目は、全作業工程において作業内容の共通するもの毎に仕分けしたものである請求項１に記載の技能伝承システム。
【請求項３】
前記作業別の展開は、作業手順毎に変化させるようにしたものである請求項１又は２に記載の技能伝承システム。
【請求項４】
前記作業手順毎の変化は、連続的に変化するようにしたものである請求項３に記載の技能伝承システム。
【請求項５】
コンピュータを用いた技能伝承表示処理システムであって，技能伝承の対象となる技能ジャンルをジャンル別に記憶する技能ジャンルデータを端末機器のディスプレイにジャンル別に表示する第１のステップと，
前記第１のステップにおいて表示される技能ジャンルデータの１を選択することによって当該技能ジャンルに共通する技能を技能種類別に記憶する技能データを端末機器のディスプレイに技能種類別に表示する第２のステップと，
前記第２のステップにおいて表示される技能データの１を選択することによって当該技能の内容別に記憶するコンテンツデータを端末機器のディスプレイに技能内容別に表示する第３のステップと，
前記第３のステップにおいて表示されるコンテンツデータの１を選択することによって当該コンテンツにおける全作業を作業項目別に分類記憶する作業項目データを端末機器のディスプレイに各作業項目別に表示する第４のステップと，
前記第４のステップにおいて表示される作業項目データの１を選択することによって当該作業項目の作業内容を端末機器のディスプレイに個別に作業別に展開する第５のステップと，
とを備えたことを特徴とする技能伝承方法。
【請求項６】
前記技能伝承方法は、前記第４のステップにおいて表示される作業項目データの１を選択することによって当該作業項目の作業内容に応じて当該作業項目における作業における規格を記憶する規格説明データを端末機器のディスプレイに規格別に表示する第６のステップを設けことを特徴とする請求項５に記載の技能伝承方法。
【請求項７】
前記技能伝承方法は、前記第４のステップにおいて表示される作業項目データの１を選択することによって端末機器のディスプレイに表示される作業項目の作業内容を展開に当たって、動画で記憶する動画説明データによって展開する第７のステップを設けことを特徴とする請求項５又は６に記載の技能伝承方法。
【請求項８】
前記動画説明データは、熟練工が行う作業をビデオ画像で記憶したものである請求項７に記載の技能伝承方法。
【請求項９】
前記動画説明データに基づいて作業項目の作業内容を端末機器のディスプレイ上で展開する際に、ディスプレイ上に作業上のコツを示す表示を行うようにしたことを特徴とする請求項８に記載の技能伝承方法。
【請求項１０】
コンピュータを用いた技能伝承のためのコンピュータプログラムであって，
技能伝承の対象となる技能ジャンルをジャンル別に記憶する技能ジャンルデータの記憶データに基づいてジャンル別に端末機器のディスプレイに表示する第１の機能と，
前記記憶する各技能ジャンル毎に、当該技能ジャンルに共通する技能を技能種類別に記憶する技能データに基づいて技能種類別に端末機器のディスプレイに表示する第２の機能と，
前記記憶する各技能毎に、当該技能の内容別に記憶するコンテンツデータに基づいて技能内容別に端末機器のディスプレイに表示する第３の機能と，
前記記憶する各コンテンツ毎に、当該各コンテンツにおける全作業を作業項目別に分類記憶する作業項目データに基づいて作業項目別に端末機器のディスプレイに表示する第４の機能と，
前記記憶する作業項目毎に、当該作業項目の作業内容を個別に作業別に端末機器のディスプレイに展開する第５の機能と，
を備えてなる技能伝承のためのコンピュータプログラム。
【請求項１１】
前記作業項目は、全作業工程において作業内容の共通するもの毎に仕分けしたものである請求項１０に記載の技能伝承のためのコンピュータプログラム。
【請求項１２】
前記作業別の展開は、作業手順毎に変化させるようにしたものである請求項１０又は１１に記載の技能伝承のためのコンピュータプログラム。
【請求項１３】
前記作業手順毎の変化は、連続的に変化するようにしたものである請求項１２に記載の技能伝承のためのコンピュータプログラム。
【請求項１４】
前記技能伝承表示処理システムは、各作業項目の作業内容に応じて当該作業項目における作業における規格を記憶する規格説明データを規格別に表示する第６の手段を設けたことを特徴とする請求項１０、１１、１２又は１３に記載の技能伝承のためのコンピュータプログラム。
【請求項１５】
前記作業項目の作業内容の作業別の展開は、作業項目の作業内容を動画で記憶する動画説明データを作業別に表示する第７の手段によって行うものである請求項１０、１１、１２、１３又は１４に記載の技能伝承のためのコンピュータプログラム。
【請求項１６】
前記動画説明データは、熟練工が行う作業をビデオ画像で記憶したものである請求項１５に記載の技能伝承のためのコンピュータプログラム。
【請求項１７】
前記動画説明データに基づいて作業項目の作業内容を端末機器のディスプレイ上で展開する際に、ディスプレイ上に作業上のコツを示す表示を行うようにしたことを特徴とする請求項１６に記載の技能伝承のためのコンピュータプログラム。
【発明の詳細な説明】
【０００１】
【発明の属する技術分野】
本発明は、技能伝承システム、技能伝承方法、および技能伝承表示のためのコンピュータプログラムに関する。
【０００２】
【従来の技術】
匠の技は、国の方策によって伝統芸として保存が盛んに行われている。しかしながら、このような特殊な技に限らず、熟練工の技術・技能も、代々受け継がれていくのが理想である。そのため、従来は、その技術に携わる熟練工が次世代の人に口伝によって継承している。
【０００３】
しかし、このような徒弟制度は、現在のような時代に合わず、長年に渡って培われてきた熟練工の技術が継承されずに埋もれていくのが現状である。良い製品を作り出すには、この熟練工の技術・技能が、そのまま現代に生かされることが最も重要である。
【０００４】
近年、従業者が業務に従事することで習得した種々の技術・技能を他の従業者に効率よく伝達する方法が提案されている（例えば、特許文献１参照。）。
この特許文献１は、従業者が他の従業者に伝承する技術・技能の内容を電子化された書面で作成し、その電子化された書面を情報のデータベースとしてサーバーに集積し、他の従業者が伝承を受けたい技術・技能を求める際に、ＰＣ端子から当該データベースにアクセスして、伝承を受けたい技術・技能を、それぞれの分類またはキーワードで検索して該当する技術・技能を選び出すことにより、従業者の間で技術・技能を伝承するようになっている。
【０００５】
【特許文献１】
特開２００２−１２３６６９号公報（第２頁、第１図）
【０００６】
【発明が解決しようとする課題】
しかしながら、熟練工の技術・技能は、いわばノウハウであり、従業者が他の従業者に伝承する技術・技能の内容を電子化された書面を作成して伝承するのでは、容易に伝達することが難しい。また、熟練工の技術・技能は、熟練工が実際に作業をしながら、必要に応じて言葉で解説して教えるもので、単に技術・技能の伝承者が技術・技能の内容を電子化された書面を見るだけで容易に拾得できるものではなく、従来の特許文献１にしめされるような方法では、技術・技能の伝承が難しいものとなっている。
【０００７】
本発明の１つの目的は、現代の熟練工の技術・技能を容易に会得することのできる技能伝承システムを提供することにある。
【０００８】
本発明の他の１つの目的は、現代の熟練工の技術・技能を容易に伝承することのできる技能伝承方法を提供することにある。
【０００９】
本発明のさらに１つの目的は、現代の熟練工の技術・技能を電子データ化し、容易に伝承することのできる技能伝承表示処理システムを提供することにある。
【００１０】
【課題を解決するための手段】
本発明の特徴の１つは、技能伝承の対象となる技能ジャンルを設定し，設定した各技能ジャンル毎に、技能種類別に技能を設定し，設定した各技能毎に、技能を要するコンテンツを設定し，設定した各コンテンツ毎に、各コンテンツにおける全作業を作業項目別に分類し，作業項目毎に個別に作業内容を作業別に展開可能に構成したところにある。
【００１１】
本発明の他の特徴の１つは、コンピュータを用いた技能伝承表示処理システムであって，技能伝承の対象となる技能ジャンルをジャンル別に記憶する技能ジャンルデータを端末機器のディスプレイにジャンル別に表示する第１のステップと，第１のステップにおいて表示される技能ジャンルデータの１を選択することによって当該技能ジャンルに共通する技能を技能種類別に記憶する技能データを端末機器のディスプレイに技能種類別に表示する第２のステップと，第２のステップにおいて表示される技能データの１を選択することによって当該技能の内容別に記憶するコンテンツデータを端末機器のディスプレイに技能内容別に表示する第３のステップと，第３のステップにおいて表示されるコンテンツデータの１を選択することによって当該コンテンツにおける全作業を作業項目別に分類記憶する作業項目データを端末機器のディスプレイに各作業項目別に表示する第４のステップと，第４のステップにおいて表示される作業項目データの１を選択することによって当該作業項目の作業内容を端末機器のディスプレイに個別に作業別に展開する第５のステップとを備えたところにある。
【００１２】
本発明のさらに他の特徴の１つは、コンピュータを用いた技能伝承のためのコンピュータプログラムであって，技能伝承の対象となる技能ジャンルをジャンル別に記憶する技能ジャンルデータの記憶データに基づいてジャンル別に端末機器のディスプレイに表示する第１の機能と，記憶する各技能ジャンル毎に、当該技能ジャンルに共通する技能を技能種類別に記憶する技能データに基づいて技能種類別に端末機器のディスプレイに表示する第２の機能と，記憶する各技能毎に、当該技能の内容別に記憶するコンテンツデータに基づいて技能内容別に端末機器のディスプレイに表示する第３の機能と，記憶する各コンテンツ毎に、当該各コンテンツにおける全作業を作業項目別に分類記憶する作業項目データに基づいて作業項目別に端末機器のディスプレイに表示する第４の機能と，記憶する作業項目毎に、当該作業項目の作業内容を個別に作業別に端末機器のディスプレイに展開する第５の機能とを備えたところにある。
【００１３】
本発明の他の特徴は、後述する実施の形態の中で記述する。
【００１４】
【発明の実施の形態】
伝承というと、良く知られたものとして伝統芸能（能、狂言、歌舞伎、日本舞踊等）があるが、伝承を必要とするものは、これら伝統芸能だけに限られるものではない。先人達の業績を連綿と受け継いでいくものとして、生産技術、各種工法等の産業技術全般にも数多く存在している。本発明は、これら先人達の業績が未来永劫、連綿と受け継がれて行くようにするもので、伝承するものとしては、科学を実地に応用して自然の事物を改変・加工し、人間生活に利用するわざである技術と、技芸を行ううでまえである技能の両方がある。
【００１５】
また、熟練工の技術・技能を未来永劫、連綿と後世に伝えるには、技術・技能を伝える熟練工の側からの伝え授けるコツである伝授技術と、この熟練工の技術・技能を伝え受け継ぐ見習い工の側からの伝え受け継ぐコツである伝承技術が必要である。本明細書においては、以下、伝授と伝承を合わせて伝承と称すると共に、技術・技能の伝承を単に技能伝承と称している。
【００１６】
このように本発明に係る技能伝承システム、技能伝承方法、および技能伝承表示処理システムは、技術・技能において、熟練工の技術・技能を伝授・伝承するのに高い効果を発揮する。
以下、本発明の実施の形態について、図を用いて説明する。
【００１７】
図１には、本発明に係る技能伝承システム、技能伝承方法、および技能伝承のためのコンピュータプログラムを実施するための処理装置が示されている。
図において、１００はサイトで、他のサイト１１０、１２０とＩＰ（ＩｎｔｅｒｎｅｔＰｒｏｔｏｃｏｌ）網１５０で、通信可能になっている。すなわち、サイト１００は、他のサイト１１０、１２０の情報もＩＰ（Ｉｎｔｅｒｎｅｔ  Ｐｒｏｔｏｃｏｌ）網１５０を介して読み出すことができるようになっている。このサイト１００、１１０、１２０は、例えば、会社内の各事業所であったり、各会社内の工場である。さらには、このサイト１００、１１０、１２０は、系列会社間であってもよい。
【００１８】
このサイト１００は、図１に示される如き構成を有している。すなわち、サイト１００は、各種の技術・技能内容を書込・データ更新を実行するサーバからなる管理サーバ１と、入出力装置とディスプレイと記憶装置からなる端末コンピュータ２Ａ，２Ｂ，・・・・２Ｎとから構成されている。この端末コンピュータ２Ａ，２Ｂ，・・・・２Ｎは、作業を実際に行う現場に設置されるもので、必要に応じて設置されている。この端末コンピュータ２Ａ，２Ｂ，・・・・２Ｎは、作業現場の増加に伴って増設することができるようになっている。
【００１９】
管理サーバ１は、技能伝承表示処理を行う側のコンピュータであるサーバ本体３と、このサーバ本体３に接続される記憶手段である技能データベースＤＢ４とによって構成されている。
【００２０】
５は、サーバ本体３に接続され、サーバ本体３に入力する入出力装置で、管理サーバ１のサーバ本体３にデータの入出力が必要な場合に使用するものである。これらの管理サーバ１、端末コンピュータ２Ａ，２Ｂ，・・・・２Ｎは全てプログラム制御により動作し、端末コンピュータ２Ａ，２Ｂ，・・・・２Ｎは、それぞれ管理サーバ１と通信路６Ａ，６Ｂ，・・・６Ｎによって接続されている。すなわち、端末コンピュータ２Ａ，２Ｂ，・・・・２Ｎは、管理サーバ１と接続されており、各端末コンピュータ２Ａ，２Ｂ，・・・・２から管理サーバ１で管理されている熟練工の技術・技能にアクセスすることができる。
【００２１】
この管理サーバ１は、具体的には、図２に示す如き構成の処理装置（コンピュータ機器）によって構成されている。すなわち、処理装置は、ＣＰＵ３を有しており、このＣＰＵ３によって処理が行われる。このＣＰＵ３には、バスラインを介して入出力装置５が、また、バスラインを介して各種データベースである記憶装置４が接続されている。この入出力装置５は、処理装置のデータ類の処理（各種の技術・技能内容の書き込み、読み出し等）を行うものである。また、記憶装置４には、技能データベース４がある。この技能データベース４は、技能ジャンル（例えば、溶接、組立、塗装等）のそれぞれに対応して、技術・技能で共通する技能を技能種類別（例えば、アーク溶接、スポット溶接、ろう付け等）に分類し、データベース化して格納するものである。そして、この技能データベース４は、技術・技能をジャンル別（例えば、溶接、組立、塗装等）に分類し、データベース化して格納してある技能ジャンルデータベース４Ａ、４Ｂ、４Ｃ、・・・４Ｎを備えている。この技能データベース４は、１つの技能ジャンル１０（例えば、溶接）に対して、当該技能ジャンルの全ての技能例（例えば、アーク溶接、スポット溶接、ろう付け等）が連結した状態でデータベース化して格納されている。また、この技能データベース４は、１つの技能ジャンル（例えば、溶接）に対して、当該技能ジャンルの技能例（例えば、アーク溶接、スポット溶接、ろう付け等）のそれぞれに対応した状態（例えば、溶接―アーク溶接、溶接―スポット溶接、溶接―ろう付け等）でデータベース化して格納してもよい。
【００２２】
図２においては、技能データベース４の技能ジャンル１０は、１つの技能ジャンル（例えば、溶接）に対して、当該技能ジャンルの全ての技能例（例えば、アーク溶接、スポット溶接、ろう付け等）が連結した状態でデータベース化して格納されている。この技能ジャンル１０（例えば、溶接）には、複数のコンテンツ２０Ａ、２０Ｂ、・・・２０Ｎがリンクした状態でデータベース化して格納されている（コンテンツデータベース）。このコンテンツデータベースは、技能の内容別に記憶するコンテンツを分類し、データベース化して格納するもので、コンテンツ２０Ａは、例えば、溶接のコンテンツであれば、例えば、銅管ろう付け、コンテンツ２０Ｂは、例えば、溶接のコンテンツであれば、例えば、コイルろう付け等である。
【００２３】
そして、この複数のコンテンツ２０Ａ、２０Ｂ、・・・２０Ｎには、各作業項目２１、２２、２３、２４・・・Ｎがリンクした状態で格納されている（作業項目データベース）。この作業項目データベースは、当該コンテンツにおける全作業を作業項目別に分類して作業項目毎に記憶する作業項目データをデータベース化して格納したものである。そして、作業項目２１は溶接のコンテンツを例に採ると溶接全般を表示する「全体概要」で、作業項目２２は溶接のコンテンツを例に採ると溶接のコンテンツの準備に要するガイダンスを表示する「準備」である。また、作業項目２３は溶接のコンテンツを例に採ると溶接のコンテンツの作業（具体的には、溶接作業）に必要なガイダンスを表示する「作業」で、作業項目２４は溶接のコンテンツを例に採ると溶接した後のチェックに要するガイダンスを表示する「チェック」である。さらに、作業項目Ｎが「後作業」というように作業項目データが記憶されている。
【００２４】
そして、この作業項目２１には、それぞれ技能伝承に利用する参照項目２１Ａ、２１Ｂ、・・・２１Ｎがリンクした状態で格納されている。この参照項目２１Ａ、２１Ｂ、・・・２１Ｎは、技能伝承を行うのに参考事項を項目別に集約して記憶してあるものである。参照項目２１Ａは動画解説で、参照項目２１Ｂは規格説明で、参照項目２１Ｃは関連図面というように、技能伝承を行うのに必要な項目、あるいは、参考になる項目を記憶したものである。他の作業項目２２においても、同様の参照項目２２Ａ、２２Ｂ、・・・２２Ｎがリンクした状態で格納されている。他の作業項目２３、２４・・・Ｎにおいても同様である。
【００２５】
この「動画解説」は、熟練工が行う作業をビデオ画像で記憶した動画で展開するデータを、データベース化して格納したものである。また、「規格説明」は、作業項目データ（例えば、溶接のろう付けであれば、「全体概要」、「準備」、「作業」、「チェック」、「後作業」等）の作業内容に応じて、作業項目における作業における規格をデータベース化して格納したものである。さらに、「関連図面」は、コンテンツデータのそれぞれに対応して、各コンテンツの作業を指示する図面をデータベース化して格納したものである。
【００２６】
図３には、本発明に係る技能伝承システム、技能伝承方法、および技能伝承のためのコンピュータプログラムの実施の形態に掛かる概略のフローチャートが示されている。
図３において、ステップ５０において、システム開始画面が表示し、このステップ５０においてシステム開始画面が表示されると、ステップ５２において、技能ジャンルを示す表示が行われる。このステップ５２において技能ジャンルが表示されると、ステップ５４において、この技能ジャンル毎のコンテンツの選択を行う。このステップ５４においてコンテンツの選択を行うと、ステップ５６において、選択したコンテンツの目次を表示し、ステップ５６において表示した目次で選択したコンテンツの静止画をステップ５８において表示する。このステップ５８における静止画から、関連規格を参照する場合、ステップ６０において規格目次を参照し、参照する規格を選択しステップ６６において規格表示する。また、ステップ５８において表示する静止画から関連図面を参照したいときは、関連図面の目次をステップ６２において表示し、選択した図面をステップ６４で表示する。また、ステップ５８における静止画から、動画解説を参照したいときは、ステップ６８において動画解説を参照する。この場合、動画解説の最中においても関連規格の参照（ステップ６６）、関連図面の参照（ステップ６４）に移ることが可能となっている。
【００２７】
図４〜図１６には、本発明に係る技能伝承システム、技能伝承方法、および技能伝承のためのコンピュータプログラムの一実施の形態を示し、端末コンピュータが管理サーバにアクセスすることによって熟練工の技術・技能を伝承するシステムフローチャートが示されている。
まず、ステップ２００において、熟練工の技術・技能の伝授・伝承を受ける作業を行う者は、熟練工の技能伝承のために端末コンピュータ２Ａ，２Ｂ，・・・・２Ｎの中から自己の管理する端末コンピュータ（例えば、端末コンピュータ２Ａ）を立ち上げる。このステップ２００において端末コンピュータ２の立ち上げを行うと、端末コンピュータ２から管理サーバ１のサーバ本体３にアクセスし、この端末コンピュータ２のアクセスに基づいて、管理サーバ１のサーバ本体３からの応答により、ステップ２０２において、端末コンピュータ２のディスプレィに図１７に示す如き表示画面５００のような表示がなされ熟練工の技能伝承用のプログラムが立ち上がる。
【００２８】
このステップ２０２において熟練工の技術・技能の伝授・伝承用のプログラムが立ち上がると、ステップ２０４において、この端末コンピュータ２のディスプレィに表示されている図１７の表示画面５００に示す如き技能伝承のシステムプログラムを開始するか否かを判断する。具体的には、端末コンピュータ２のディスプレィに表示されている図１７の表示画面５００のシステム開始ボタン５０２が押されたか、システム終了ボタン５０４が押されたかを判定する。この図１７に示されるシステム開始ボタン５０２を押すことによってシステムプログラムが開始する。また、この図１７に示されるシステム終了ボタン５０４を押すと、このプログラムは終了し、初期画面に戻る。このステップ２０４においてシステムプログラムを開始しないと判断すると、ステップ２０６において、この端末コンピュータ２のディスプレィに表示されている図１７の表示画面５００示す如き技能伝承のシステムプログラムを終了するか否かを判断する。このステップ２０６において技能伝承のシステムプログラムを終了すると判定、すなわち、システム終了ボタン５０４が押されたと判定すると、プログラムを終了し、初期画面に戻る。
【００２９】
また、ステップ２０６において端末コンピュータ２のディスプレィに表示されている図１７の表示画面５００示す如き技能伝承のシステムプログラムの終了でない、すなわち、システム開始ボタン５０２が押されたと判定すると、ステップ２０４に戻る。また、
ステップ２０４において端末コンピュータ２のディスプレィに表示されている図１７の表示画面５００に示す如き技能伝承のシステムプログラムを開始すると判定すると、ステップ２０８において、図１８に示す如き複数の技能ジャンル選択項目をディスプレィに表示する。この図１８に示される複数の技能ジャンル選択項目は、複数の技能ジャンルの中から１つを選択するようになっている。すなわち、技能ジャンルのいずれかを選択すると、その技能ジャンルに表示される技能例は全て選択されるようになっている。この図１８において、５０６は、前ページボタンで、この前ページボタン５０６を押すことによって前の表示画面（図１７の表示画面）に戻ることを示している。
【００３０】
このステップ２０８において、ディスプレィに表示する複数の技能ジャンル選択項目は、図１９に示す如き複数の技能ジャンル選択項目を表示するようにしても良い。この図１９に示される複数の技能ジャンル選択項目は、複数の技能ジャンルの中から１つを選択することによって技能ジャンルが選択され、この選択した技能ジャンルに対応して複数の技能例が個別に選択でき、この技能ジャンルに対応した技能例を選択することにより技能例が特定され、技能ジャンル項目が特定されるようになっている。
【００３１】
このステップ２０４において、システムが開始されると、熟練工の技能伝承のプログラムが立ち上がり、ステップ２０８において、図２に示す如き技能データベース４に記憶されている複数の技能ジャンルが、図１８又は図１９に示す如く、『見たい技能ジャンルの選択ボタンをクリックして下さい。』というメッセージと共に端末コンピュータ２のディスプレィに表示される。この図１８又は図１９において、５０６は、前ページボタンで、この前ページボタン５０６を押すことによって前の表示画面（図１７又は図１８の表示画面）に戻ることを示している。
【００３２】
この端末コンピュータ２のディスプレィに表示される図１８又は図１９に示される複数の技能ジャンルとしては、たとえば、「溶接」、「組立」、「塗装」、「その他」がある。この複数の技能ジャンルのそれぞれには、当該技能ジャンルに共通の複数の技能例が示される。この各技能ジャンル毎の複数の技能例としては、「溶接」には、アーク溶接、スポット溶接、ろう付け等の技術があり、「組立」には、端子圧着、ラッピング、ゴムパッキン貼り、防水処理がある。また、その他の技能ジャンル毎の複数の技能例としては、「塗装」には、塗装鏡面仕上げ、前処理作業が、さらに、「その他」には、タングステン線伸線作業、粉末冶金作業等がある。
【００３３】
このステップ２０８において、図１８又は図１９に示す如き複数の技能ジャンル選択項目をディスプレィに表示するとステップ２１０において、端末コンピュータ２のディスプレィに表示された複数の技能ジャンルの中から１つの技能ジャンルが選択されたか否かを判定する。そして、このステップ２１０においては、端末コンピュータ２のディスプレィに表示された複数の技能ジャンルの中から１つの技能ジャンルが選択されるまで待つ。このステップ２１０において、端末コンピュータ２のディスプレィに表示された複数の技能ジャンルの中から１つの技能ジャンルが選択される（図１８においては技能ジャンルだけを選択し、図１８においては技能ジャンルと技能例を選択する）と、ステップ２１２において、図２に示す如き技能ジャンルデータベース４Ａに記憶されているコンテンツ２０Ａを図２０に示す如く、『見たいコンテンツの検索ボタンを選択して下さい。』というメッセージと共に端末コンピュータ２のディスプレィに表示する。
【００３４】
図１８又は図１９に図示の技能ジャンルで、例えば、「溶接」を選択すると、図２０では、「溶接」コンテンツが表示される。この図２０においては、２つのコンテンツが示されている。この「溶接」コンテンツには、具体的には、銅管ろう付、コイル（例えば、洗濯機モータ用）ろう付がある。
【００３５】
このステップ２１２において、端末コンピュータ２のディスプレィに図２０に示す如く２つのコンテンツが表示されると、ステップ２１４において、端末コンピュータ２のディスプレィに表示された複数のコンテンツの中から１つのコンテンツが選択されたか否かを判定する。すなわち、ステップ２１４において、端末コンピュータ２のディスプレィに表示された複数のコンテンツの中から１つのコンテンツが選択されるまで待つ。
【００３６】
このステップ２１４において、端末コンピュータ２のディスプレィに表示された複数のコンテンツの中から１つのコンテンツが選択されると、ステップ２１６において、図２に示す如き作業項目２１〜Ｎに記憶されている作業項目が、図２１に示す如く、『○○○○作業』という作業名（例えば、銅管ろう付け作業）と、『技能に下記の項目があります。見たい部分のボタンを選択して下さい。』というメッセージと共に、選択されたコンテンツの作業の全体概要と、選択されたコンテンツの作業段階毎に集約された各作業項目が大項目として表示される。この大項目には、全体概要の他、準備、作業、チェック、後作業、失敗事例がある。その他、大項目の表示の他、各段階で必要とされる関連規格と、各作業段階における関連図面の各項目が端末コンピュータ２のディスプレィに表示される。
【００３７】
このステップ２１６において、図２１に示す如き選択されたコンテンツの端末コンピュータ２のディスプレィへの表示が行われると、ステップ２１８において、ディスプレィに表示された図２１に示す如き全体概要、準備、作業、チェック、後作業、失敗事例、関連規格、関連図面の中から１個の項目が選択されたか否かの判定を行う。このステップ２１８においては、ディスプレィに表示された図２１に示す如き全体概要、準備、作業、チェック、後作業、失敗事例、関連規格、関連図面の中から１個の項目が選択されるまで待つ。
【００３８】
このステップ２１８においてディスプレィに表示された図２１に示す如き全体概要、準備、作業、チェック、後作業、失敗事例、関連規格、関連図面の中から１個の項目が選択されたと判定すると、ステップ２２０において、選択された項目が全体概要か否かを判定する。このステップ２２０において、選択された項目が全体概要であると判定すると、ステップ２２２において、図２２に示す如き全体概要を示す画面を端末コンピュータ２のディスプレィに表示する。この図２２に示される全体概要の表示画面には、選択されたコンテンツ（例えば、作業名）を示すコンテンツ表示欄と、選択されたコンテンツの作業の全体概要と、選択されたコンテンツの作業段階毎に集約された各作業項目である準備、作業、チェック、後作業、失敗事例が設けられている。
【００３９】
さらに、この図２２に示される全体概要の表示画面には、選択されたコンテンツの作業の全体概要と、選択されたコンテンツの作業段階毎に集約された各作業項目である準備、作業、チェック、後作業、失敗事例における各段階での動画による解説を見るための動画解説ボタンが表示される。図２２においては、「全体概要」が選択されていることを示すように「全体概要」の箇所が別な色に変わる等の表示となる。
【００４０】
この図２２では、図２０に示されるコンテンツの中から１つのコンテンツを選択し、ステップ２２０において、「全体概要」を選択すると、選択されたコンテンツにおいて分けられている項目（全体概要、準備、チェック、後作業、失敗事例）、２つの作業画面（具体的には、対象機器の写真、代表的な作業写真）と、「ろう付け作業」の説明、対象製品と特徴と作業手順の一覧表、動画解説、前ページ、後ページが表示される。
【００４１】
ここで具体的に、例えば、図２０に示されるコンテンツの中から「ろう付け作業」を選択し、ステップ２２２において、「全体概要」を選択すると、「ろう付け作業」の表題と、選択されたコンテンツ「ろう付け作業」において分けられている項目（全体概要、準備、チェック、後作業、失敗事例）、２つの作業画面（具体的には、対象機器の写真、代表的な作業写真）と、「ろう付け作業」の説明、対象製品と特徴と作業手順の一覧表が示される。
【００４２】
この「ろう付け作業」の説明として、ろう材を溶融し、銅パイプ等の金属部品を接合する際に用いられる技能と表示される。また、対象製品と特徴と作業手順の一覧表では、「ろう付け作業」の対象製品として、「パッケージエアコン」、「冷凍機器」等が記載され、「ろう付け作業」の特徴として、「母材を溶かさずに加熱、ろう材を溶融接合する」が記載され、さらに、「ろう付け作業」の作業手順として、「部品の準備、組付け、加熱、ろう差し、冷却、チェック」が記載される。
【００４３】
このステップ２２２において図２２に示す如き全体概要を示す画面が端末コンピュータ２のディスプレィに表示されると、ステップ２２４において、ディスプレィに表示さた複数の項目の中から１個の項目が選択されたか否かを判定する。このステップ２２４においては、ディスプレィに表示さた複数の項目の中から１個の項目が選択されるのを待つ。このステップ２２４においてディスプレィに表示さた複数の項目の中から１個の項目が選択されたと判定すると、ステップ２２６において、図２３に示される「動画解説」のスイッチが投入されたか否かの判定を行う。このステップ２２６において図２２に示される「動画解説」のスイッチが投入されたと判定すると、ステップ２２８において、図２に示す如き技能データベース４の各コンテンツ２０Ａ〜Ｎ毎に記憶されている動画データに基づいて図２３示される如く「動画解説」をスタートする。この「動画解説」は、図２に図示の技能データベース４に収納されている作業項目データの作業内容について、熟練工が行う作業をビデオ画像で記憶した動画で展開するものである。この熟練工が行う作業の画像データは、ビデオ画像でなくてもよく、アニメで記録されたものであっても、分解図によって解説したものであってもよい。
【００４４】
さらに、例えば、「ろう付け作業」の作業手順で熟練工が最もコツを要する作業の要所要所に、図２４に示す如く、バーナーの母材からの位置（母材から白心までの距離）、バーナーの火炎の母材に対する角度、バーナーの火炎の継部からの配分等を表示することによって、習得者が熟練工からいち早く作業ノウハウを習得できるように表示画面に工夫が施されている。この図２４に示す如き動画上での要所要所での表示は、「動画解説」全般に渡って、適材適所に表示されている。
【００４５】
このステップ２２８において図２３に示される如く「動画解説」をスタートすると、ステップ２３０において、「動画解説」を閉じるスイッチが投入されたか否かの判定を行う。すなわち、ステップ２３０においては、「動画解説」を閉じるスイッチが投入されるのを待つ。このステップ２３０において「動画解説」を閉じるスイッチが投入されたと判定すると、ステップ２２２に戻り、図２２に示す如き全体概要を示す画面を端末コンピュータ２のディスプレィに表示する。そして、ステップ２２４において図２２に示す如き全体概要の表示画面で、「動画解説」のスイッチが投入されると再び動画解説が行われる。
【００４６】
また、ステップ２２６において図２２に示す如き全体概要の表示画面で、「動画解説」のスイッチが投入されないと判定すると、ステップ２３２において、選択された項目は作業段階毎に集約された各作業項目のいずれかの項目か否かの判定を行う。このステップ２３２において選択された項目が作業段階毎に集約された各作業項目のいずれかの項目でないと判定すると、ステップ２３４において、選択されたコンテンツ（例えば、「ろう付け作業」の内の「銅管ろう付け作業」）の作業において細部を確認するために必要とする「関連図面」が選択されたか否かの判定を行う。また、ステップ２３２において選択された項目が作業段階毎に集約された各作業項目のいずれかの項目であると判定すると、ステップ２５６に移る。
【００４７】
このステップ２３４において選択された項目は「関連図面」であると判定すると、ステップ２３６において、図２に示す如き技能データベース４に記憶されている関連図面データに基づいて図２５に示す如き各種「関連図面」の目次を端末コンピュータ２のディスプレィに表示する。このステップ２３６において「関連図面」の目次がディスプレィに表示されると、ステップ２３８において、端末コンピュータ２のディスプレィに表示された図２５に示す如きコンテンツ（例えば、「ろう付け作業」の内の「銅管ろう付け作業」）の作業の「関連図面」の目次の中から１つの関連図面を選択したか否かを判定する。
【００４８】
このステップ２３８において端末コンピュータ２のディスプレィに表示されたコンテンツ（例えば、「ろう付け作業」の内の「銅管ろう付け作業」）の作業の「関連図面」の目次の中から１つの関連図面を選択したと判定すると、ステップ２４０において、端末コンピュータ２のディスプレィに表示されたコンテンツ（例えば、「ろう付け作業」の内の「銅管ろう付け作業」）の作業の「関連図面」の目次の中から選択した１つの関連図面のデータを図２に示す如き技能データベース４から読み出し、端末コンピュータ２のディスプレィに表示する。
【００４９】
そして、このステップ２４０おいてコンテンツ（例えば、「ろう付け作業」の内の「銅管ろう付け作業」）の作業における「関連図面」の目次の中から選択した１つの関連図面を端末コンピュータ２のディスプレィに表示すると、ステップ２４２において、戻るスイッチを投入したか否かの判定を行う。このステップ２４２において戻るスイッチを投入したと判定すると、ステップ２３６に戻る。
【００５０】
また、ステップ２３８において端末コンピュータ２のディスプレィに表示されたコンテンツ（例えば、「ろう付け作業」の内の「銅管ろう付け作業」）の作業の「関連図面」の目次の中から１つの関連図面を選択しないと判定すると、ステップ２４４において、コンテンツに戻るスイッチを投入したか否かの判定を行う。このステップ２４４においてコンテンツに戻るスイッチを投入していないと判定すると、ステップ２３８に戻る。また、このステップ２４４においてコンテンツに戻るスイッチを投入したと判定すると、ステップ２１６に移る。
【００５１】
また、ステップ２３４において選択された項目が関連図面でないと判定すると、ステップ２４６において、図２８に示す如き選択されたコンテンツの作業の関連規格の目次をディスプレィに表示する。このステップ２４６において図２８に示す如き選択されたコンテンツの作業の関連規格の目次をディスプレィに表示すると、ステップ２４８において端末コンピュータ２のディスプレィに表示されたコンテンツ（例えば、「ろう付け作業」の内の「銅管ろう付け作業」）の作業における「関連規格」の目次の中から１つの関連規格を選択したか否かを判定する。このステップ２４８において端末コンピュータ２のディスプレィに表示される「関連規格」の目次の中から１つの関連規格を選択したと判定すると、ステップ２５０において、図２９に示す如く端末コンピュータ２のディスプレィに表示される「関連規格」の表示を行う。
【００５２】
そして、このステップ２５０おいてコンテンツ（例えば、「ろう付け作業」の内の「銅管ろう付け作業」）の作業における「関連規格」の目次の中から選択した１つの関連規格を端末コンピュータ２のディスプレィに表示すると、ステップ２５２において、戻るスイッチを投入したか否かの判定を行う。このステップ２５２において戻るスイッチを投入したと判定すると、ステップ２４６に戻る。
【００５３】
また、ステップ２４８において端末コンピュータ２のディスプレィに表示されたコンテンツ（例えば、「ろう付け作業」の内の「銅管ろう付け作業」）の作業の「関連規格」の目次の中から１つの関連規格を選択しないと判定すると、ステップ２５４において、コンテンツに戻るスイッチを投入したか否かの判定を行う。このステップ２５４においてコンテンツに戻るスイッチを投入していないと判定すると、ステップ２４８に戻る。また、このステップ２５４においてコンテンツに戻るスイッチを投入したと判定すると、ステップ２１６に移る。
【００５４】
また、ステップ２３２において選択された項目が作業段階毎に集約された各作業項目のいずれかの項目であると判定すると、ステップ２５６において、選択された項目が作業段階毎に集約された各作業項目の内の「準備」か否かの判定を行う。このステップ２５６において選択された項目が作業段階毎に集約された各作業項目の内の「準備」であると判定すると、ステップ２５８において、図２７に示す如く「準備」項目の内の第１項目をディスプレィに表示する。この図２７においては、「準備」項目の目次が図面の左欄に表示され、任意に選択できるようになっている。このステップ２５８においては、図２７に示す如く、選択されたコンテンツ（例えば、「ろう付け作業」の内の「銅管ろう付け作業」）において必要とする準備の内容を示す項目（工具、材料、作業環境）、１つの準備画面（具体的には、「工具」を示す写真）が端末コンピュータ２のディスプレィに表示される。
【００５５】
また、この図２７に示す如き「準備」項目のディスプレィへの表示に当たって、先に図２６に示す如く作業項目一覧を表示し、この作業項目一覧から任意に参照する項目を選択することができる。図２６においては、「準備」（例えば、「ろう付け作業」の内の「銅管ろう付け作業」の「準備」）が選択され、選択されたコンテンツ（例えば、「ろう付け作業」の内の「銅管ろう付け作業」）において必要とする準備の内容を示す項目（工具、材料、作業環境）が表示される。そして、この内の１つの準備画面（具体的には、「工具」）を選択すると、例えば、「ろう付け作業」の内の「銅管ろう付け作業」の「工具」の内容を示す項目（例えば、「バーナ」、「部品セット治具」、「眼鏡等」）が端末コンピュータ２のディスプレィに表示される。
【００５６】
このステップ２５８において図２７に示す如く「準備」項目の内の第１項目をディスプレィに表示した後、ステップ２６０において、ディスプレィに表示された複数の「準備」の項目の中から１個の項目が選択されたか否かを判定する。このステップ２６０においては、ディスプレィに表示さた複数の項目の中から１個の項目が選択されるのを待つ。このステップ２６０においてディスプレィに表示された複数の「準備」の項目の中から１個の項目が選択されたと判定すると、ステップ２６２において、図２３に示される「動画解説」のスイッチが投入されたか否かの判定を行う。このステップ２６２において図２３に示される「動画解説」のスイッチが投入されたと判定すると、ステップ２６４において、図２に示す如き技能データベース４の各コンテンツ２０Ａ〜Ｎ毎に記憶されている動画データに基づいて図２３示される如く「動画解説」をスタートする。この「動画解説」は、図２に図示の技能データベース４に収納されている作業項目データの作業内容について、熟練工が行う作業をビデオ画像で記憶した動画で展開するものである。この熟練工が行う作業の画像データは、ビデオ画像でなくてもよく、アニメで記録されたものであっても、分解図によって解説したものであってもよい。
【００５７】
さらに、例えば、「ろう付け作業」の作業手順で熟練工が最もコツを要する作業の要所要所に、図２４に示す如く、バーナーの母材からの位置（母材から白心までの距離）、バーナーの火炎の母材に対する角度、バーナーの火炎の継部からの配分等を表示することによって、習得者が熟練工からいち早く作業ノウハウを習得できるように表示画面に工夫が施されている。この図２４に示す如き動画上での要所要所での表示は、「動画解説」全般に渡って、適材適所に表示されている。
【００５８】
このステップ２６４において図２３に示される如く「動画解説」をスタートすると、ステップ２６６において、「動画解説」を閉じるスイッチが投入されたか否かの判定を行う。すなわち、ステップ２６６においては、「動画解説」を閉じるスイッチが投入されるのを待つ。このステップ２６６において「動画解説」を閉じるスイッチが投入されたと判定すると、ステップ２６２に戻り、図２７に示す如き「準備」項目の内の第１項目を示す画面を端末コンピュータ２のディスプレィに表示する。そして、ステップ２６２において図２７に示す如き「準備」項目の内の第１項目を示す表示画面で、「動画解説」のスイッチが投入されると再び動画解説が行われる。
【００５９】
また、ステップ２６６において図２７に示す如き「準備」項目の内の第１項目を示す表示画面で、「動画解説」のスイッチが投入されないと判定すると、ステップ２６８において、コンテンツの作業の関連規格のスイッチが投入されたか否かの判定を行う。このステップ２６８においてコンテンツの作業の関連規格のスイッチが投入されたと判定すると、ステップ２７０おいて、図２８に示す如き選択されたコンテンツの作業の関連規格の目次をディスプレィに表示する。このステップ２７０おいて図２８に示す如き選択されたコンテンツの作業の関連規格の目次をディスプレィに表示すると、ステップ２７２おいて、端末コンピュータ２のディスプレィに表示されたコンテンツ（例えば、「ろう付け作業」の内の「銅管ろう付け作業」）の作業における「関連規格」の目次の中から選択した１つの関連規格を端末コンピュータ２のディスプレィに表示する。
【００６０】
このステップ２７２おいて端末コンピュータ２のディスプレィに表示されたコンテンツの作業における「関連規格」の目次の中から選択した１つの関連規格を端末コンピュータ２のディスプレィに表示すると、ステップ２７４おいて、静止画解説画面に戻るスイッチが投入されたか否かの判定を行う。このステップ２７４おいて静止画解説画面に戻るスイッチが投入されたと判定すると、ステップ２６２に戻る。
【００６１】
また、ステップ２７４おいて静止画解説画面に戻るスイッチが投入されないと判定すると、ステップ２７６において、規格項目選択画面へのスイッチが投入されたか否かの判定を行う。このステップ２７６において規格項目選択画面へのスイッチが投入されていないと判定すると、ステップ２７４に戻る。また、ステップ２７６において規格項目選択画面へのスイッチが投入されたと判定すると、ステップ２７０に戻る。
【００６２】
また、ステップ２６８においてコンテンツの作業の関連規格のスイッチが投入されないと判定すると、ステップ２７８おいて、コンテンツの作業の関連図面のスイッチが投入されたか否かの判定を行う。このステップ２７８おいてコンテンツの作業の関連図面のスイッチが投入されたと判定すると、ステップ２８０において、図２５に示す如き選択されたコンテンツの作業の関連図面の目次をディスプレィに表示する。このステップ２８０において図２５に示す如き選択されたコンテンツの作業の関連図面の目次をディスプレィに表示する。このステップ２８０において図２５に示す如きコンテンツの作業の関連図面の目次の中から１つの関連図面を選択すると、ステップ２８２において、選択した関連図面を端末コンピュータ２のディスプレィに表示する。
【００６３】
このステップ２８２おいて端末コンピュータ２のディスプレィに表示されたコンテンツの作業における「関連図面」の目次の中から選択した１つの関連図面を端末コンピュータ２のディスプレィに表示すると、ステップ２８４おいて、静止画解説画面に戻るスイッチが投入されたか否かの判定を行う。このステップ２８４おいて静止画解説画面に戻るスイッチが投入されたと判定すると、ステップ２６２に戻る。
【００６４】
また、ステップ２８４おいて静止画解説画面に戻るスイッチが投入されないと判定すると、ステップ２８６において、図面の項目選択画面へのスイッチが投入されたか否かの判定を行う。このステップ２８６において図面の項目選択画面へのスイッチが投入されていないと判定すると、ステップ２８４に戻る。また、ステップ２８６において規格項目選択画面へのスイッチが投入されたと判定すると、ステップ２８０に戻る。
【００６５】
また、ステップ２７８においてコンテンツの作業の関連図面のスイッチが投入されないと判定すると、ステップ２８８において、コンテンツの作業の他の「作業」の項目のスイッチが投入されたか否か判定を行う。このステップ２８８においてコンテンツの作業の他の「作業」の項目のスイッチが投入されたと判定すると、ステップ２９０において、「作業」の項目の中の他の項目をディスプレィに表示する。そして、ステップ２６２に戻る。また、ステップ２８８においてコンテンツの作業の他の「作業」の項目のスイッチが投入されていないと判定すると、ステップ２２０に移る。
【００６６】
また、ステップ２５６において選択された項目が作業段階毎に集約された各作業項目の内の「準備」でないと判定すると、ステップ２９２において、選択された項目が例えば、「ろう付け作業」の内の「銅管ろう付け作業」の「準備」か否かの判定を行う。このステップ２９２において選択された項目が作業段階毎に集約された各作業項目の内のいずれかの項目であると判定すると、ステップ２９４において、図３２に示す如く「作業」項目の内の第１項目（「段取り」、「本作業（１）」、「本作業（２）」）、１つの作業画面（具体的には、「段取り」を示す写真）が端末コンピュータ２のディスプレィに表示される。この図３２においては、「作業」項目の目次が図面の左欄に表示され、任意に選択できるようになっている。
【００６７】
また、端末コンピュータ２のディスプレィには、図３２に示す如く、段取りに関するコメントが表示される。
【００６８】
このステップ２９４において図３２に示す如く「作業」項目の内の第１項目をディスプレィに表示した後、ステップ２９６において、ディスプレィに表示された複数の「作業」の項目の中から１個の項目が選択されたか否かを判定する。このステップ２９６においては、ディスプレィに表示さた複数の項目の中から１個の項目が選択されるのを待つ。このステップ２９６においてディスプレィに表示された複数の「作業」の項目の中から１個の項目が選択されたと判定すると、ステップ２９８において、図２３に示される「動画解説」のスイッチが投入されたか否かの判定を行う。このステップ２９８において図２３に示される「動画解説」のスイッチが投入されたと判定すると、ステップ３００において、図２に示す如き技能データベース４の各コンテンツ２０Ａ〜Ｎ毎に記憶されている動画データに基づいて図２３示される如く「動画解説」をスタートする。この「動画解説」は、図２に図示の技能データベース４に収納されている作業項目データの作業内容について、熟練工が行う作業をビデオ画像で記憶した動画で展開するものである。この熟練工が行う作業の画像データは、ビデオ画像でなくてもよく、アニメで記録されたものであっても、分解図によって解説したものであってもよい。
【００６９】
さらに、例えば、「ろう付け作業」の作業手順で熟練工が最もコツを要する作業の要所要所に、図２４に示す如く、バーナーの母材からの位置（母材から白心までの距離）、バーナーの火炎の母材に対する角度、バーナーの火炎の継部からの配分等を表示することによって、習得者が熟練工からいち早く作業ノウハウを習得できるように表示画面に工夫が施されている。この図２４に示す如き動画上での要所要所での表示は、「動画解説」全般に渡って、適材適所に表示されている。
【００７０】
このステップ３００において図２３に示される如く「動画解説」をスタートすると、ステップ３０２において、「動画解説」を閉じるスイッチが投入されたか否かの判定を行う。すなわち、ステップ３０２においては、「動画解説」を閉じるスイッチが投入されるのを待つ。このステップ３０２において「動画解説」を閉じるスイッチが投入されたと判定すると、ステップ２９８に戻り、図３２に示す如き「作業」項目の内の第１項目を示す画面を端末コンピュータ２のディスプレィに表示する。そして、ステップ２９８において図３２に示す如き「作業」項目の内の第１項目を示す表示画面で、「動画解説」のスイッチが投入されると再び動画解説が行われる。
【００７１】
また、ステップ３０２において図３２に示す如き「作業」項目の内の第１項目を示す表示画面で、「動画解説」のスイッチが投入されないと判定すると、ステップ３０４において、コンテンツの作業の関連規格のスイッチが投入されたか否かの判定を行う。このステップ３０４においてコンテンツの作業の関連規格のスイッチが投入されたと判定すると、ステップ３０６おいて、図２８に示す如き選択されたコンテンツの作業の関連規格の目次をディスプレィに表示する。このステップ３０８おいて図２８に示す如き選択されたコンテンツの作業の関連規格の目次をディスプレィに表示すると、ステップ３０８おいて、端末コンピュータ２のディスプレィに表示されたコンテンツ（例えば、「ろう付け作業」の内の「銅管ろう付け作業」）の作業における「関連規格」の目次の中から選択した１つの関連規格を端末コンピュータ２のディスプレィに表示する。
【００７２】
このステップ３０８おいて端末コンピュータ２のディスプレィに表示されたコンテンツの作業における「関連規格」の目次の中から選択した１つの関連規格を端末コンピュータ２のディスプレィに表示すると、ステップ３１０おいて、静止画解説画面に戻るスイッチが投入されたか否かの判定を行う。このステップ３１０おいて静止画解説画面に戻るスイッチが投入されたと判定すると、ステップ２９８に戻る。
【００７３】
また、ステップ３１０おいて静止画解説画面に戻るスイッチが投入されないと判定すると、ステップ３１２において、規格項目選択画面へのスイッチが投入されたか否かの判定を行う。このステップ３１２において規格項目選択画面へのスイッチが投入されていないと判定すると、ステップ３１０に戻る。また、ステップ３１２において規格項目選択画面へのスイッチが投入されたと判定すると、ステップ３０６に戻る。
【００７４】
また、ステップ３０４においてコンテンツの作業の関連規格のスイッチが投入されないと判定すると、ステップ３１４おいて、コンテンツの作業の関連図面のスイッチが投入されたか否かの判定を行う。このステップ３１４おいてコンテンツの作業の関連図面のスイッチが投入されたと判定すると、ステップ３１６において、図２５に示す如き選択されたコンテンツの作業の関連図面の目次をディスプレィに表示する。このステップ３１６において図２５に示す如き選択されたコンテンツの作業の関連図面の目次をディスプレィに表示する。このステップ３１６において図２５に示す如きコンテンツの作業の関連図面の目次の中から１つの関連図面を選択すると、ステップ３１８おいて、選択した関連図面を端末コンピュータ２のディスプレィに表示する。
【００７５】
このステップ３１８おいて端末コンピュータ２のディスプレィに表示されたコンテンツの作業における「関連図面」の目次の中から選択した１つの関連図面を端末コンピュータ２のディスプレィに表示すると、ステップ３２０おいて、静止画解説画面に戻るスイッチが投入されたか否かの判定を行う。このステップ３１８おいて静止画解説画面に戻るスイッチが投入されたと判定すると、ステップ２９８に戻る。
【００７６】
また、ステップ３２０おいて静止画解説画面に戻るスイッチが投入されないと判定すると、ステップ３２２において、図面の項目選択画面へのスイッチが投入されたか否かの判定を行う。このステップ３２２において図面の項目選択画面へのスイッチが投入されていないと判定すると、ステップ３２０に戻る。また、ステップ３２２において規格項目選択画面へのスイッチが投入されたと判定すると、ステップ３１６に戻る。
【００７７】
また、ステップ３１４においてコンテンツの作業の関連図面のスイッチが投入されないと判定すると、ステップ３２４において、コンテンツの作業の他の「作業」の項目のスイッチが投入されたか否か判定を行う。このステップ３２４においてコンテンツの作業の他の「作業」の項目のスイッチが投入されたと判定すると、ステップ３２６において、「作業」の項目の中の他の項目をディスプレィに表示する。そして、ステップ２９８に戻る。また、ステップ３２４においてコンテンツの作業の他の「作業」の項目のスイッチが投入されていないと判定すると、ステップ２２０に移る。
【００７８】
また、ステップ２９２において選択された項目が作業段階毎に集約された各作業項目の内の「作業」でないと判定すると、ステップ２９４において、選択された項目が例えば、「ろう付け作業」の内の「銅管ろう付け作業」の「チェック」か否かの判定を行う。このステップ２９４において、選択された項目が例えば、「ろう付け作業」の内の「銅管ろう付け作業」の「チェック」であると判定すると、ステップ３３０において、図３４に示す如く、「チェック」項目の内の第１項目のコンテンツ（例えば、「ろう付け作業」の内の「銅管ろう付け作業」）において必要とするチェックの内容を示す項目（「良品基準」、「不良基準（１）」、「不良基準（２）」、「不良基準（３）」）、１つのチェック画面（具体的には、「良品基準」を示す写真）が端末コンピュータ２のディスプレィに表示する。このステップ３３０における表示に当たっては、図３３に示す如き「チェック」項目（例えば、溶接の準備として、「良品基準」、「不良基準（１）」、「不良基準（２）」、「不良基準（３）」）が端末コンピュータ２のディスプレィに一覧表示するようにしても良い。
【００７９】
このステップ３３０において図３４に示す如く「チェック」項目の内の第１項目をディスプレィに表示した後、ステップ３３２において、ディスプレィに表示された複数の「チェック」の項目の中から１個の項目が選択されたか否かを判定する。このステップ３３２においては、ディスプレィに表示さた複数の「チェック」項目の中から１個の「チェック」項目が選択されるのを待つ。このステップ３３２においてディスプレィに表示された複数の「チェック」の項目の中から１個の項目が選択されたと判定すると、ステップ３３４において、図２３に示される「動画解説」のスイッチが投入された  か否かの判定を行う。このステップ３３４において図２３に示される「動画解説」のスイッチが投入されたと判定すると、ステップ３３６において、図２に示す如き技能データベース４の各コンテンツ２０Ａ〜Ｎ毎に記憶されている動画データに基づいて図２３示される如く「動画解説」をスタートする。この「動画解説」は、図２に図示の技能データベース４に収納されている作業項目データの「チェック」内容について、熟練工が行う作業をビデオ画像で記憶した動画で展開するものである。この熟練工が行う「作業」の画像データは、ビデオ画像でなくてもよく、アニメで記録されたものであっても、分解図によって解説したものであってもよい。
【００８０】
さらに、例えば、「ろう付け作業」の「チェック」手順で熟練工が最もコツを要する「チェック」の要所要所に、習得者が熟練工からいち早く作業ノウハウを習得できるように表示画面に文字で解説する、図面を挿入、数値の表示等のテロップ表示するなどの工夫を施してもよい。この表示は、「動画解説」全般に渡って、適材適所に表示されている。
【００８１】
このステップ３３６において図２３に示される如く「動画解説」をスタートすると、ステップ３３８において、「動画解説」を閉じるスイッチが投入されたか否かの判定を行う。すなわち、ステップ３３８においては、「動画解説」を閉じるスイッチが投入されるのを待つ。このステップ３３８において「動画解説」を閉じるスイッチが投入されたと判定すると、ステップ３３４に戻り、図３４に示す如き「チェック」項目の内の第１項目を示す画面を端末コンピュータ２のディスプレィに表示する。そして、ステップ３３４において図３４に示す如き「チェック」項目の内の第１項目を示す表示画面で、「動画解説」のスイッチが投入されると再び動画解説が行われる。
【００８２】
また、ステップ３３４において図３４に示す如き「チェック」項目の内の第１項目を示す表示画面で、「動画解説」のスイッチが投入されないと判定すると、ステップ３４０において、コンテンツの作業の関連規格のスイッチが投入されたか否かの判定を行う。このステップ３４０においてコンテンツの作業の関連規格のスイッチが投入されたと判定すると、ステップ３４２おいて、図２８に示す如き選択されたコンテンツの作業の関連規格の目次をディスプレィに表示する。このステップ３４２おいて図２８に示す如き選択されたコンテンツの作業の関連規格の目次をディスプレィに表示すると、ステップ３４４おいて、端末コンピュータ２のディスプレィに表示されたコンテンツ（例えば、「ろう付け作業」の内の「銅管ろう付け作業」）の作業における「関連規格」の目次の中から選択した１つの関連規格を端末コンピュータ２のディスプレィに表示する。
【００８３】
このステップ３４４おいて端末コンピュータ２のディスプレィに表示されたコンテンツの作業における「関連規格」の目次の中から選択した１つの関連規格を端末コンピュータ２のディスプレィに表示すると、ステップ３４６おいて、静止画解説画面に戻るスイッチが投入されたか否かの判定を行う。このステップ３４６おいて静止画解説画面に戻るスイッチが投入されたと判定すると、ステップ３３４に戻る。
【００８４】
また、ステップ３４６おいて静止画解説画面に戻るスイッチが投入されないと判定すると、ステップ３４８において、規格項目選択画面へのスイッチが投入されたか否かの判定を行う。このステップ３４８において規格項目選択画面へのスイッチが投入されていないと判定すると、ステップ３４６に戻る。また、ステップ３４８において規格項目選択画面へのスイッチが投入されたと判定すると、ステップ３４２に戻る。
【００８５】
また、ステップ３４０においてコンテンツの作業の関連規格のスイッチが投入されないと判定すると、ステップ３５０おいて、コンテンツの作業の関連図面のスイッチが投入されたか否かの判定を行う。このステップ３５０おいてコンテンツの作業の関連図面のスイッチが投入されたと判定すると、ステップ３５２において、図２５に示す如き選択されたコンテンツの作業の関連図面の目次をディスプレィに表示する。このステップ３５２において図２５に示す如き選択されたコンテンツの作業の関連図面の目次をディスプレィに表示する。このステップ３５２において図２５に示す如きコンテンツの作業の関連図面の目次の中から１つの関連図面を選択すると、ステップ３５４おいて、選択した関連図面を端末コンピュータ２のディスプレィに表示する。
【００８６】
このステップ３５４おいて端末コンピュータ２のディスプレィに表示されたコンテンツの作業における「関連図面」の目次の中から選択した１つの関連図面を端末コンピュータ２のディスプレィに表示すると、ステップ３５６おいて、静止画解説画面に戻るスイッチが投入されたか否かの判定を行う。このステップ３５６おいて静止画解説画面に戻るスイッチが投入されたと判定すると、ステップ３３４に戻る。
【００８７】
また、ステップ３５６おいて静止画解説画面に戻るスイッチが投入されないと判定すると、ステップ３５８において、図面の項目選択画面へのスイッチが投入されたか否かの判定を行う。このステップ３５８において図面の項目選択画面へのスイッチが投入されていないと判定すると、ステップ３５６に戻る。また、ステップ３５８において規格項目選択画面へのスイッチが投入されたと判定すると、ステップ３５２に戻る。
【００８８】
また、ステップ３５０においてコンテンツの作業の関連図面のスイッチが投入されないと判定すると、ステップ３６０において、コンテンツの作業の他の「チェック」の項目のスイッチが投入されたか否か判定を行う。このステップ３６０においてコンテンツの作業の他の「チェック」の項目のスイッチが投入されたと判定すると、ステップ３６２において、「チェック」の項目の中の他の項目をディスプレィに表示する。そして、ステップ３３４に戻る。また、ステップ３６０においてコンテンツの作業の他の「作業」の項目のスイッチが投入されていないと判定すると、ステップ２２０に移る。
【００８９】
また、ステップ３２８において選択された項目が作業段階毎に集約された各作業項目の内の「チェック」でない、選択された項目が例えば、「ろう付け作業」の内の「銅管ろう付け作業」の「チェック」でないと判定すると、ステップ３６４において、選択された項目が例えば、「ろう付け作業」の内の「銅管ろう付け作業」の「後作業」か否かの判定を行う。このステップ３６４において、選択された項目が例えば、「ろう付け作業」の内の「銅管ろう付け作業」の「後作業」であると判定すると、ステップ３６６において、図３６に示す如く、「後作業」項目の内の第１項目のコンテンツ（例えば、「ろう付け作業」の内の「銅管ろう付け作業」）において必要とする後作業の内容を示す項目が表示される。この図３６においては、「後作業」項目の目次が図面の左欄に表示され、任意に選択できるようになっている。
【００９０】
また、ステップ３６６における表示に当たっては、図３５に示す如き「後作業」項目の内の第１項目の「後作業」項目が端末コンピュータ２のディスプレィに一覧表示されるようにしても良い。また、図３６においては、「後作業」（例えば、「ろう付け作業」の内の「銅管ろう付け作業」の「後作業」）が選択され、選択されたコンテンツ（例えば、「ろう付け作業」の内の「銅管ろう付け作業」）において必要とする後作業の内容を示す項目が表示される。そして、この内の１つの作業画面を選択すると、例えば、「ろう付け作業」の内の「銅管ろう付け作業」の内容を示す項目が端末コンピュータ２のディスプレィに表示される。
【００９１】
このステップ３６６において図３６に示す如く「後作業」項目の内の第１項目をディスプレィに表示した後、ステップ３６８において、ディスプレィに表示された複数の「後作業」の項目の中から１個の項目が選択されたか否かを判定する。このステップ３６８においては、ディスプレィに表示さた複数の「後作業」項目の中から１個の「後作業」項目が選択されるのを待つ。このステップ３６８においてディスプレィに表示された複数の「後作業」の項目の中から１個の項目を選択、例えば、「ろう付け作業」の内の「銅管ろう付け作業」の「後作業」を選択すると、図３６に示す如く、選択されたコンテンツ（例えば、「ろう付け作業」の内の「銅管ろう付け作業」）において必要とする作業の内容を示す項目、１つの後作業画面が端末コンピュータ２のディスプレィに表示される。
【００９２】
また、端末コンピュータ２のディスプレィには、図３６に示す如く、段取りに関するコメントが表示される。
【００９３】
このステップ３６８においてディスプレィに表示された複数の「後作業」の項目の中から１個の項目が選択されたと判定すると、ステップ３７０において、図２３に示される「動画解説」のスイッチが投入されたか否かの判定を行う。このステップ３７０において図２３に示される「動画解説」のスイッチが投入されたと判定すると、ステップ３７２において、図２に示す如き技能データベース４の各コンテンツ２０Ａ〜Ｎ毎に記憶されている動画データに基づいて図２３示される如く「動画解説」をスタートする。この「動画解説」は、図２に図示の技能データベース４に収納されている作業項目データの「後作業」内容について、熟練工が行う作業をビデオ画像で記憶した動画で展開するものである。この熟練工が行う「作業」の画像データは、ビデオ画像でなくてもよく、アニメで記録されたものであっても、分解図によって解説したものであってもよい。
【００９４】
さらに、例えば、「ろう付け作業」の「後作業」手順で熟練工が最もコツを要する「後作業」の要所要所に、習得者が熟練工からいち早く作業ノウハウを習得できるように表示画面に文字で解説する、図面を挿入、数値の表示等のテロップ表示するなどの工夫を施してもよい。この表示は、「動画解説」全般に渡って、適材適所に表示されている。
【００９５】
このステップ３７２において図２３に示される如く「動画解説」をスタートすると、ステップ３７４において、「動画解説」を閉じるスイッチが投入されたか否かの判定を行う。すなわち、ステップ３７４においては、「動画解説」を閉じるスイッチが投入されるのを待つ。このステップ３７４において「動画解説」を閉じるスイッチが投入されたと判定すると、ステップ３７０に戻り、図３６に示す如き「後作業」項目の内の第１項目を示す画面を端末コンピュータ２のディスプレィに表示する。そして、ステップ３７０において図３４に示す如き「後作業」項目の内の第１項目を示す表示画面で、「動画解説」のスイッチが投入されると再び動画解説が行われる。
【００９６】
また、ステップ３７０において図３４に示す如き「後作業」項目の内の第１項目を示す表示画面で、「動画解説」のスイッチが投入されないと判定すると、ステップ３７６において、コンテンツの作業の関連規格のスイッチが投入されたか否かの判定を行う。このステップ３７６においてコンテンツの作業の関連規格のスイッチが投入されたと判定すると、ステップ３７８おいて、図２８に示す如き選択されたコンテンツの作業の関連規格の目次をディスプレィに表示する。このステップ３７８おいて図２８に示す如き選択されたコンテンツの作業の関連規格の目次をディスプレィに表示すると、ステップ３８０おいて、端末コンピュータ２のディスプレィに表示されたコンテンツ（例えば、「ろう付け作業」の内の「銅管ろう付け作業」）の作業における「関連規格」の目次の中から選択した１つの関連規格を端末コンピュータ２のディスプレィに表示する。
【００９７】
このステップ３８０おいて端末コンピュータ２のディスプレィに表示されたコンテンツの作業における「関連規格」の目次の中から選択した１つの関連規格を端末コンピュータ２のディスプレィに表示すると、ステップ３８２おいて、静止画解説画面に戻るスイッチが投入されたか否かの判定を行う。このステップ３８２おいて静止画解説画面に戻るスイッチが投入されたと判定すると、ステップ３７０に戻る。
【００９８】
また、ステップ３８２おいて静止画解説画面に戻るスイッチが投入されないと判定すると、ステップ３８４において、規格項目選択画面へのスイッチが投入されたか否かの判定を行う。このステップ３８４において規格項目選択画面へのスイッチが投入されていないと判定すると、ステップ３８２に戻る。また、ステップ３８４において規格項目選択画面へのスイッチが投入されたと判定すると、ステップ３７８に戻る。
【００９９】
また、ステップ３７６においてコンテンツの作業の関連規格のスイッチが投入されないと判定すると、ステップ３８６おいて、コンテンツの作業の関連図面のスイッチが投入されたか否かの判定を行う。このステップ３８６おいてコンテンツの作業の関連図面のスイッチが投入されたと判定すると、ステップ３８８において、図２５に示す如き選択されたコンテンツの作業の関連図面の目次をディスプレィに表示する。このステップ３８８において図２５に示す如き選択されたコンテンツの作業の関連図面の目次をディスプレィに表示する。このステップ３８８において図２５に示す如きコンテンツの作業の関連図面の目次の中から１つの関連図面を選択すると、ステップ３９０おいて、選択した関連図面を端末コンピュータ２のディスプレィに表示する。
【０１００】
このステップ３９０おいて端末コンピュータ２のディスプレィに表示されたコンテンツの作業における「関連図面」の目次の中から選択した１つの関連図面を端末コンピュータ２のディスプレィに表示すると、ステップ３９２おいて、静止画解説画面に戻るスイッチが投入されたか否かの判定を行う。このステップ３９２おいて静止画解説画面に戻るスイッチが投入されたと判定すると、ステップ３７０に戻る。
【０１０１】
また、ステップ３９２おいて静止画解説画面に戻るスイッチが投入されないと判定すると、ステップ３９４において、図面の項目選択画面へのスイッチが投入されたか否かの判定を行う。このステップ３９４において図面の項目選択画面へのスイッチが投入されていないと判定すると、ステップ３９２に戻る。また、ステップ３９４において規格項目選択画面へのスイッチが投入されたと判定すると、ステップ３８８に戻る。
【０１０２】
また、ステップ３８６においてコンテンツの作業の関連図面のスイッチが投入されないと判定すると、ステップ３９６において、コンテンツの作業の他の「チェック」の項目のスイッチが投入されたか否か判定を行う。このステップ３９６においてコンテンツの作業の他の「後作業」の項目のスイッチが投入されたと判定すると、ステップ３９８において、「後作業」の項目の中の他の項目をディスプレィに表示する。そして、ステップ３７０に戻る。また、ステップ３９６においてコンテンツの作業の他の「後作業」の項目のスイッチが投入されていないと判定すると、ステップ２２０に移る。
【０１０３】
また、ステップ３６４において選択された項目が作業段階毎に集約された各作業項目の内の「後作業」でない、選択された項目が例えば、「ろう付け作業」の内の「銅管ろう付け作業」の「後作業」ででないと判定すると、ステップ４００において、選択された項目は、「ろう付け作業」の内の「銅管ろう付け作業」の「失敗事例」か否かの判定を行う。このステップ４００において選択された項目は、「ろう付け作業」の内の「銅管ろう付け作業」の「失敗事例」であると判定すると、ステップ４０２において、図３７に示す如き「失敗事例」項目が端末コンピュータ２のディスプレィに一覧表示する。
【０１０４】
このステップ４０２において図３７に示す如き「失敗事例」項目が端末コンピュータ２のディスプレィに一覧表示されると、ステップ４０４において、ディスプレィに表示された複数の「失敗事例」項目の中から１個の項目が選択されたか否かを判定する。このステップ４０４において「失敗事例」項目の中から１個の項目が選択（例えば、「ろう付け作業」の内の「銅管ろう付け作業」の「失敗事例」を選択）すると、ステップ４０６において、選択した「失敗事例」の項目、図３８に示す如く、例えば、「ろう付け作業」の内の「銅管ろう付け作業」の「失敗事例」を選択すると、選択されたコンテンツ（例えば、「ろう付け作業」の内の「銅管ろう付け作業」）において必要とする失敗事例の内容を示す項目、１つの失敗事例画面を端末コンピュータ２のディスプレィに表示する。
【０１０５】
このステップ４０４において図３７に示す如き「失敗事例」項目の一覧の中から、１つの項目を選択すると、ステップ４０６において決定した１つの項目の画面を図３８に示す如く端末コンピュータ２のディスプレィに表示する。このステップ３９２において、図３７に示す如き項目の一覧の中から、決定した１つの項目の「失敗事例」画面を図３８に示す如く端末コンピュータ２のディスプレィに表示する。
【０１０６】
この図３８においては、「失敗事例」として、何の不良かを示す事項が表示される。例えば、「ろう付け作業」の「銅管ろう付け作業」の「失敗事例」であれば、『フラックス除去不良によるガス漏れ不良』という表示がされる。また、図３９においては、例えば、「ろう付け作業」の「銅管ろう付け作業」の「失敗事例」であれば、『フラックス除去不良によるガス漏れ不良』の部品名（具体的には、例えば、チラーユニット、銅管、等）と、材料名（具体的には、例えば、銅およびその合金、ろう材等）が表示される。
【０１０７】
このステップ４０４において「失敗事例」項目の中から１個の項目が選択されないと判定すると、ステップ４０８において、「前ページ」スイッチが投入されたか否かを判定する。このステップ４０８において「前ページ」スイッチが投入されたと判定すると、ステップ４０２に戻る。また、このステップ４０８において「前ページ」スイッチが投入されないと判定すると、ステップ４０４に戻る。
【０１０８】
ステップ４０６において決定した１つの項目の画面を図３８に示す如く端末コンピュータ２のディスプレィに表示すると、ステップ４１０において、、図２３に示される「動画解説」のスイッチが投入された  か否かの判定を行う。このステップ４１０において図２３に示される「動画解説」のスイッチが投入されたと判定すると、ステップ４１２において、図２に示す如き技能データベース４の各コンテンツ２０Ａ〜Ｎ毎に記憶されている動画データに基づいて図２３示される如く「動画解説」をスタートする。この「動画解説」は、図２に図示の技能データベース４に収納されている作業項目データの「失敗事例」内容について、熟練工が行う作業をビデオ画像で記憶した動画で展開するものである。この熟練工が行う「作業」の画像データは、ビデオ画像でなくてもよく、アニメで記録されたものであっても、分解図によって解説したものであってもよい。
【０１０９】
さらに、例えば、「ろう付け作業」の「失敗事例」で熟練工が最もコツを要する「失敗事例」の要所要所に、習得者が熟練工からいち早く作業ノウハウを習得できるように表示画面に文字で解説する、図面を挿入、数値の表示等のテロップ表示するなどの工夫を施してもよい。この表示は、「動画解説」全般に渡って、適材適所に表示されている。
【０１１０】
このステップ４１２において図２３に示される如く「動画解説」をスタートすると、ステップ４１４において、「動画解説」を閉じるスイッチが投入されたか否かの判定を行う。すなわち、ステップ４１４においては、「動画解説」を閉じるスイッチが投入されるのを待つ。このステップ４１４において「動画解説」を閉じるスイッチが投入されたと判定すると、ステップ４１０に戻り、図３８に示す如き「失敗事例」項目の内の第１項目を示す画面を端末コンピュータ２のディスプレィに表示する。そして、ステップ４１０において図３８に示す如き「失敗事例」項目の内の第１項目を示す表示画面で、「動画解説」のスイッチが投入されると再び動画解説が行われる。
【０１１１】
また、ステップ４１０において図３４に示す如き「失敗事例」項目の内の第１項目を示す表示画面で、「動画解説」のスイッチが投入されないと判定すると、ステップ４１６において、コンテンツの作業の関連規格のスイッチが投入されたか否かの判定を行う。このステップ４１６においてコンテンツの作業の関連規格のスイッチが投入されたと判定すると、ステップ４１８おいて、図２８に示す如き選択されたコンテンツの作業の関連規格の目次をディスプレィに表示する。このステップ４１８おいて図２８に示す如き選択されたコンテンツの作業の関連規格の目次をディスプレィに表示すると、ステップ４２０おいて、端末コンピュータ２のディスプレィに表示されたコンテンツ（例えば、「ろう付け作業」の内の「銅管ろう付け作業」）の作業における「関連規格」の目次の中から選択した１つの関連規格を端末コンピュータ２のディスプレィに表示する。
【０１１２】
このステップ４２０おいて端末コンピュータ２のディスプレィに表示されたコンテンツの作業における「関連規格」の目次の中から選択した１つの関連規格を端末コンピュータ２のディスプレィに表示すると、ステップ４２２おいて、静止画解説画面に戻るスイッチが投入されたか否かの判定を行う。このステップ４２２おいて静止画解説画面に戻るスイッチが投入されたと判定すると、ステップ４１０に戻る。
【０１１３】
また、ステップ４２２おいて静止画解説画面に戻るスイッチが投入されないと判定すると、ステップ４２４において、規格項目選択画面へのスイッチが投入されたか否かの判定を行う。このステップ４２４において規格項目選択画面へのスイッチが投入されていないと判定すると、ステップ４２２に戻る。また、ステップ４２４において規格項目選択画面へのスイッチが投入されたと判定すると、ステップ４１８に戻る。
【０１１４】
また、ステップ４１６においてコンテンツの作業の関連規格のスイッチが投入されないと判定すると、ステップ４２６おいて、コンテンツの作業の関連図面のスイッチが投入されたか否かの判定を行う。このステップ４２６おいてコンテンツの作業の関連図面のスイッチが投入されたと判定すると、ステップ４２８において、図２５に示す如き選択されたコンテンツの作業の関連図面の目次をディスプレィに表示する。このステップ４２８において図２５に示す如き選択されたコンテンツの作業の関連図面の目次をディスプレィに表示する。このステップ４２８において図２５に示す如きコンテンツの作業の関連図面の目次の中から１つの関連図面を選択すると、ステップ４３０おいて、選択した関連図面を端末コンピュータ２のディスプレィに表示する。
【０１１５】
このステップ４３０おいて端末コンピュータ２のディスプレィに表示されたコンテンツの作業における「関連図面」の目次の中から選択した１つの関連図面を端末コンピュータ２のディスプレィに表示すると、ステップ４３２おいて、静止画解説画面に戻るスイッチが投入されたか否かの判定を行う。このステップ４３２おいて静止画解説画面に戻るスイッチが投入されたと判定すると、ステップ４１０に戻る。
【０１１６】
また、ステップ４３２おいて静止画解説画面に戻るスイッチが投入されないと判定すると、ステップ４３４において、図面の項目選択画面へのスイッチが投入されたか否かの判定を行う。このステップ４３４において図面の項目選択画面へのスイッチが投入されていないと判定すると、ステップ４３２に戻る。また、ステップ４３４において規格項目選択画面へのスイッチが投入されたと判定すると、ステップ４２８に戻る。
【０１１７】
また、ステップ４２６においてコンテンツの作業の関連図面のスイッチが投入されないと判定すると、ステップ４３６において、コンテンツの作業の他の「チェック」の項目のスイッチが投入されたか否か判定を行う。このステップ４３６においてコンテンツの作業の他の「後作業」の項目のスイッチが投入されたと判定すると、ステップ４３８において、「後作業」の項目の中の他の項目をディスプレィに表示する。そして、ステップ４１０に戻る。また、ステップ４３６においてコンテンツの作業の他の「失敗事例」の項目のスイッチが投入されていないと判定すると、ステップ２２０に移る。
【０１１８】
図４０には、本発明に係る技能伝承システム、技能伝承方法、および技能伝承のためのコンピュータプログラムを複数の技能ジャンルの内の「組立」に適用した実施の形態を示す端末コンピュータ２のディスプレィへの表示画面が示されている。
熟練工の技術・技能の伝授・伝承を受ける作業を行う者が、熟練工の技術・技能の伝授・伝承を受けるために端末コンピュータ２Ａ，２Ｂ，・・・・２Ｎの内の自己の管理する端末コンピュータを立ち上げると、図１８に示す如く、端末コンピュータ２のディスプレィに複数の技能ジャンルが表示される。まず、図１８に示される複数の技能ジャンルから例えば、「組立」を選択し、さらに機能例から例えば、「端子圧着」を熟練工の技術・技能の伝授・伝承を受ける作業を行う者が選択すると、図１８と同様に全体概要、各作業項目（「準備」、「圧着作業」、「圧着チェック」、「縛着作業」、「配線チェック」、「失敗事例」）、関連規格、関連図面が表示される。そして、この項目の中から１個の項目（例えば、「圧着作業」）を選択すると、図４０に示す画面表示がなされる。
【０１１９】
図４０では、「圧着作業」の「被覆剥離」が表示されている。この「圧着作業」の作業段階毎に集約された各作業項目には、「被覆剥離」、「圧着ダイス確認」、「ハンドル開放」、「コンタクトセット」、「電線挿入」、「圧着」の各作業が表示される。中央には、『電線径とクリンパー穴が合っていること、決められた長さだけ剥離すること』を示す作業写真が表示されている。
【０１２０】
図４１には、本発明に係る技能伝承システム、技能伝承方法、および技能伝承のためのコンピュータプログラムを複数の技能ジャンルの内の「塗装」に適用した実施の形態を示す端末コンピュータ２のディスプレィへの表示画面が示されている。
熟練工の技術・技能の伝授・伝承を受ける作業を行う者が、熟練工の技術・技能の伝授・伝承を受けるために端末コンピュータ２Ａ，２Ｂ，・・・・２Ｎの内の自己の管理する端末コンピュータを立ち上げると、図１８に示す如く、端末コンピュータ２のディスプレィに複数の技能ジャンルが表示される。まず、図１８に示される複数の技能ジャンルから例えば、「塗装」を選択し、さらに機能例から例えば、「塗装鏡面仕上げ」を熟練工の技術・技能の伝授・伝承を受ける作業を行う者が選択すると、図２１と同様に全体概要、各作業項目（「準備」、「作業」、「チェック」、「後作業」、「失敗事例」）、関連規格、関連図面が表示される。そして、この項目の中から１個の項目（例えば、「作業」）を選択すると、図４１に示す画面表示がなされる。
【０１２１】
図４１では、「作業」の「塗り」が表示されている。この「作業」の作業段階毎に集約された各作業項目には、「作業確認」、「研ぎ」、「塗り」、・・・・「仕上げ」の各作業が表示される。また、「塗り」を選択すると、この項目の脇に、この「塗り」の作業工程を示す表示がなされる。この「塗り」には、「塗料調合」、「吹付け」、「乾燥」の各作業が表示される。このように、作業項目の下位にさらに作業工程が有る場合、図４１に示す如く、作業項目の隣に下位の作業工程を表示してもよい。図４１の中央には、「塗り」の第１番目の作業工程である「塗料調合」の写真が表示される。
【０１２２】
図４２には、本発明に係る技能伝承システム、技能伝承方法、および技能伝承のためのコンピュータプログラムで、複数の技能ジャンルの内の「溶接」の内の「ろう付け作業」を選択したときの別な表示方法の実施の形態を示す端末コンピュータ２のディスプレィへの表示画面が示されている。
本実施の形態は、複数の技能ジャンルで「溶接」を選択し、「溶接」の内の「ろう付け作業」を選択したときに、「全体紹介」、「準備」、「作業」、「チェック」、「後作業」、「失敗事例」、「関連図面」「関連規格」の全ての詳細項目を表示し、熟練工の技術・技能の伝授・伝承を受ける作業を行う者が、熟練工の技術・技能の伝授・伝承をどの段階からでも、初期画面からアクセスできるようにしたものである。すなわち、熟練工の技術・技能の伝授・伝承を受ける作業を行う者は、初期画面から、例えば、「失敗事例」の「ろう回り不足」に飛んで画面表示できる。
【０１２３】
このように構成することにより、画面操作性をよくすることができる。
【０１２４】
【発明の効果】
以上説明したように、本発明によれば、以下に述べる効果を有する。
【０１２５】
本発明によれば、現代の熟練工の技術・技能を容易に会得することのできる技能伝承システムを提供することができる。
【０１２６】
また、本発明によれば、現代の熟練工の技術・技能を容易に伝承することのできる技能伝承方法を提供することができる。
【０１２７】
さらに、本発明によれば、現代の熟練工の技術・技能を電子データ化し、容易に伝承することのできる技能伝承表示処理システムを提供することができる。
【図面の簡単な説明】
【図１】本発明に係る技能伝承システム、技能伝承方法、および技能伝承表示処理システムを実施するための処理装置を示す図である。
【図２】図１に図示の管理サーバの処理装置を示す図である。
【図３】本発明に係る技能伝承システム、技能伝承方法、および技能伝承表示処理システムの実施の形態の概略フローチャートである。
【図４】本発明に係る技能伝承システム、技能伝承方法、および技能伝承表示処理システムの一実施の形態を示すフローチャートである。
【図５】本発明に係る技能伝承システム、技能伝承方法、および技能伝承表示処理システムの一実施の形態を示すフローチャートである。
【図６】本発明に係る技能伝承システム、技能伝承方法、および技能伝承表示処理システムの一実施の形態を示すフローチャートである。
【図７】本発明に係る技能伝承システム、技能伝承方法、および技能伝承表示処理システムの一実施の形態を示すフローチャートである。
【図８】本発明に係る技能伝承システム、技能伝承方法、および技能伝承表示処理システムの一実施の形態を示すフローチャートである。
【図９】本発明に係る技能伝承システム、技能伝承方法、および技能伝承表示処理システムの一実施の形態を示すフローチャートである。
【図１０】本発明に係る技能伝承システム、技能伝承方法、および技能伝承表示処理システムの一実施の形態を示すフローチャートである。
【図１１】本発明に係る技能伝承システム、技能伝承方法、および技能伝承表示処理システムの一実施の形態を示すフローチャートである。
【図１２】本発明に係る技能伝承システム、技能伝承方法、および技能伝承表示処理システムの一実施の形態を示すフローチャートである。
【図１３】本発明に係る技能伝承システム、技能伝承方法、および技能伝承表示処理システムの一実施の形態を示すフローチャートである。
【図１４】本発明に係る技能伝承システム、技能伝承方法、および技能伝承表示処理システムの一実施の形態を示すフローチャートである。
【図１５】本発明に係る技能伝承システム、技能伝承方法、および技能伝承表示処理システムの一実施の形態を示すフローチャートである。
【図１６】本発明に係る技能伝承システム、技能伝承方法、および技能伝承表示処理システムの一実施の形態を示すフローチャートである。
【図１７】本発明に係る技能伝承システム、技能伝承方法、および技能伝承表示処理システムを示す端末コンピュータのディスプレィに表示される初期スタート画面を示す図である。
【図１８】熟練工の技能伝承のプログラムにおける技能ジャンルの選択表を示す図である。
【図１９】熟練工の技能伝承のプログラムにおける技能ジャンルの選択表を示す図である。
【図２０】図１８において選択した技能ジャンルのコンテンツを示す図である。
【図２１】図２０に図示のコンテンツで選択した特定の作業の作業項目を示す図である。
【図２２】図２０に図示のコンテンツで選択した特定の作業の全体概要を示す図である。
【図２３】動画解説のスタート画面を示す図である。
【図２４】動画解説における動画上での要所要所での表示状態を示す図である。
【図２５】図２０に図示のコンテンツで選択した特定の作業の関連図面の目次表を示す図である。
【図２６】図２０に図示のコンテンツで選択した特定の作業の準備項目における準備選択項目を示す図である。
【図２７】図２６に図示の準備選択項目で選択した項目の準備表示画面を示す図である。
【図２８】図２０に図示のコンテンツで選択した特定の作業の準備項目における規格選択項目を示す図である。
【図２９】図２８に図示の規格選択項目で選択した特定の規格項目の表示画面を示す図である。
【図３０】図２６に図示の準備選択項目で選択した他の項目の準備表示画面を示す図である。
【図３１】図２０に図示のコンテンツで選択した特定の作業の作業項目における作業選択項目を示す図である。
【図３２】図３１に図示の作業選択項目で選択した項目の作業表示画面を示す図である。
【図３３】図２０に図示のコンテンツで選択した特定の作業のチェック項目におけるチェック選択項目を示す図である。
【図３４】図３３に図示のチェック選択項目で選択した項目のチェック表示画面を示す図である。
【図３５】図２０に図示のコンテンツで選択した特定の作業の後作業項目における後作業選択項目を示す図である。
【図３６】図３３に図示の後作業選択項目で選択した項目の後作業表示画面を示す図である。
【図３７】図２０に図示のコンテンツで選択した特定の作業の失敗事例項目における失敗事例後選択項目を示す図である。
【図３８】図３７に図示の失敗事例の内容を示す図である。
【図３９】図３８に図示の失敗事例項目で選択した項目の失敗事例の図を内容と共に表示する図である。
【図４０】図１８において選択した別な技能ジャンルのコンテンツを示す図である。
【図４１】図１８において選択したさらに別な技能ジャンルのコンテンツを別な表示方法で示す図である。
【図４２】図２０に図示のコンテンツを別な表示方法で表示する図である。
【符号の説明】
１…………………………………………………………管理サーバ
２…………………………………………………………端末コンピュータ
３…………………………………………………………サーバ本体
４…………………………………………………………技能データベース
５…………………………………………………………入出力装置
６…………………………………………………………通信路
１０………………………………………………………技能ジャンル
２０Ａ，２０Ｂ，・・・２０Ｎ………………………コンテンツ
２１，２２，２３，２４，・・・Ｎ…………………作業項目
２１Ａ，２１Ｂ，２１Ｃ，・・・２１Ｎ……………参照項目
１００，１１０，１２０………………………………サイト
１５０……………………………………………………ＩＰ網
【図１】
2004227193.tif 000003
【図２】
2004227193.tif 000004
【図３】
2004227193.tif 000005
【図４】
2004227193.tif 000006
【図５】
2004227193.tif 000007
【図６】
2004227193.tif 000008
【図７】
2004227193.tif 000009
【図８】
2004227193.tif 000010
【図９】
2004227193.tif 000011
【図１０】
2004227193.tif 000012
【図１１】
2004227193.tif 000013
【図１２】
2004227193.tif 000014
【図１３】
2004227193.tif 000015
【図１４】
2004227193.tif 000016
【図１５】
2004227193.tif 000017
【図１６】
2004227193.tif 000018
【図１７】
2004227193.tif 000019
【図１８】
2004227193.tif 000020
【図１９】
2004227193.tif 000021
【図２０】
2004227193.tif 000022
【図２１】
2004227193.tif 000023
【図２２】
2004227193.tif 000024
【図２３】
2004227193.tif 000025
【図２４】
2004227193.tif 000026
【図２５】
2004227193.tif 000027
【図２６】
2004227193.tif 000028
【図２７】
2004227193.tif 000029
【図２８】
2004227193.tif 000030
【図２９】
2004227193.tif 000031
【図３０】
2004227193.tif 000032
【図３１】
2004227193.tif 000033
【図３２】
2004227193.tif 000034
【図３３】
2004227193.tif 000035
【図３４】
2004227193.tif 000036
【図３５】
2004227193.tif 000037
【図３６】
2004227193.tif 000038
【図３７】
2004227193.tif 000039
【図３８】
2004227193.tif 000040
【図３９】
2004227193.tif 000041
【図４０】
2004227193.tif 000042
【図４１】
2004227193.tif 000043
【図４２】
2004227193.tif 000044